(57)【特許請求の範囲】
【請求項１】
うちわの柄部に芳香剤を収容し得る芳香剤収容部を設けると共に芳香剤が通過し得る単数もしくは複数の導出路を芳香剤収容部からうちわの外縁方向に向かって配置してなり、うちわを扇ぐことで芳香剤を前記導出路の出口へ移動させ、周囲に風を送ると共に芳香を発散できるようにしたうちわにおいて、前記導出路は可撓性を有する樹脂フィルムを断面が半円形、略四角形もしくは不定形状となるようにうちわの表面に接着して構成されたことを特徴とするうちわ。
【請求項２】
請求項１記載のうちわにおいて、導出路の先端を短くし、その出口付近を吸水性を有する紙その他の吸湿性を有する資材で覆う状態に接着するようにしたことを特徴とするうちわ。
【請求項３】
請求項１または２記載のうちわにおいて、芳香剤の通過量を調節し得る調整弁を芳香剤収容部に、または芳香剤収容部と導出路出口との間に設けるようにしたことを特徴とするうちわ。
【発明の詳細な説明】
【技術分野】
【０００１】  本発明は、うちわに関するものであり、特に扇ぐことにより周囲に風を送ると共に芳香を発散させ得るうちわに関するものである。
【背景技術】
【０００２】  従来技術としての、芳香を発するうちわについては、特許文献１に開示されている。
これは、うちわを構成する中骨の両側に貼り合わせる紙の内面側に、紙漉き段階で粉砕したハーブを漉き込むことによりハーブ粉漉き込み層を形成させたもので、これにより芳香を発散させている。
【先行技術文献】
【特許文献】
【０００３】
【特許文献１】特開２００３−８８４１２号公報
【発明の概要】
【発明が解決しようとする課題】
【０００４】  従来の芳香を発するうちわ（特許文献１）は、芳香剤をうちわ本体に埋め込むタイプのものである。しかしながら、このようなうちわは、不必要なときでも常に芳香を発散しているので芳香うちわとしての寿命が短く、また芳香発散の程度を適宜調節することが困難であり、さらに芳香の種類を適宜変えることができないという問題点があった。
【課題を解決するための手段】
【０００５】
本発明はこのような問題点を解決するためになされたもので、次のように構成される。
（１）うちわの柄部に芳香剤を収容し得る芳香剤収容部を設けると共に芳香剤が通過し得る単数もしくは複数の導出路を芳香剤収容部からうちわの外縁方向に向かって配置してなり、うちわを扇ぐことで芳香剤を前記導出路の出口へ移動させ、周囲に風を送ると共に芳香を発散できるようにしたうちわにおいて、前記導出路は可撓性を有する樹脂フィルムを断面が半円形、略四角形もしくは不定形状となるようにうちわの表面に接着して構成されたことを特徴とするうちわ。
（２）（１）項記載のうちわにおいて、導出路の先端を短くし、その出口付近を吸水性を有する紙その他の吸湿性を有する資材で覆う状態に接着するようにしたことを特徴とするうちわ。
（３）（１）項または（２）項記載のうちわにおいて、芳香剤の通過量を調節し得る調整弁を芳香剤収容部に、または芳香剤収容部と導出路出口との間に設けるようにしたことを特徴とするうちわ。
【発明の効果】
【０００６】
（イ）扇ぎ方の強弱で香りの程度を調節できる。
扇ぐことで、チューブ等の導出路内の芳香剤に遠心力が働き、芳香剤が導出路の出口側に移動してくるので、扇ぎ方の強弱で芳香の発散の程度を調整できる。
（ロ）芳香うちわとしての、寿命が長くできる。
チューブ等の導出路内の芳香剤の通過量を調節し得る調整弁を芳香剤収容部に、または芳香剤収容部と導出路出口との間に設けることによって、不要なときは調節弁を閉じることにより芳香剤の浪費をなくし、寿命を長くできる。また、芳香剤収容部の芳香剤がなくなれば補充できるので、芳香剤をうちわ本体に閉じ込めるタイプのものに比し、芳香うちわとしての寿命が長くなる。
（ハ）調節弁の調節により、香りの程度を加減できる。
チューブ等の導出路内の芳香剤の通過量をコントロールし、芳香剤の発散が加減できる。
（ニ）芳香の種類を変えることが容易である。
芳香剤収容部の芳香剤を入れ変えればすぐできる。
（ホ）通常のうちわの機能（涼む）以外に、部屋内に迅速に香りを発散させるためにも使用できる。
（へ） 樹脂フィルムを使用し、断面が半円状、略四角状または不定形状をなすように、うちわ本体に接着して導出路を形成することも可能である。この導出路によれば、うちわ自体の剛性を高めるものではないので、扇ぐ際の抵抗感を増加させるものではなく、うちわの使用感を損なうことがないという利点がある。
【図面の簡単な説明】
【０００７】
【図１】本発明の一実施例の構成を示す概略説明図である。
【図２】（イ）は図１におけるＡ−Ａ断面図、（ロ）は図１におけるＢ−Ｂ断面  図である。
【発明を実施するための形態】
【０００８】  芳香うちわとしての寿命（耐久性）の向上と芳香発散の程度を調節するという目的を、柄部内に芳香剤収容部を形成すると共に、うちわ本体内に芳香剤収用部の芳香剤をうちわ外縁に向かって通過させ得る導出路を設けることで実現した。
【実施例】
【０００９】  本発明のうちわは、図１に示すように、うちわ本体０１と柄部０２とを備え、柄部０２内に設けられた芳香剤収納部０３は、うちわ本体に設けられた導出路としてのチューブ０４に連結されると共に、芳香剤収容部０３には、芳香剤の通過量を加減できる調節弁０５が設けられて構成される。【００１０】  うちわ本体０１は和紙や通気性を有するビニールなどにより構成される。柄部０２は、２ｍｍ程度の厚さのポリプロピレン等の合成樹脂により筒状に製作され、強度と柔軟性を備えている。柄部０２内には直径１０ｍｍ度の空洞が形成され、芳香剤を封入できる芳香剤収容部０３をなしている。芳香剤としては、通常液状の市販品を使用できる。なお、柄部０２の端部にはキヤップ（図示省略）が設けられ、これを外せば芳香剤を補充できるようにされている。導出路としてのチューブ０４は芳香剤収納部０３と接続されており、扇ぐことでチューブ０４内の芳香剤には遠心力が働き、うちわ末端に向かって移動し、芳香を発散することになる。調節弁０５は、芳香剤が通過する導出路の開閉と、芳香剤の通過量を調節できる。【００１１】  以上のように構成された実施例において、調節弁０５を開け，扇ぐことにより、芳香剤が芳香剤収納部０３からチューブ０４に移動する。芳香剤の通過量は、調節弁０５で加減することができるが、うちわを強く扇ぐことでも芳香剤の通過量を増やすことができる。チューブ０４の出口に達した芳香剤は、芳香を発散する。従って、扇ぐ操作で、風だけでなく香りによって、さらに涼しさを感じることができる。【００１２】  また、本実施例によれば、、通常のうちわの機能（涼む）以外にも、部屋に迅速に香りを伝えるときなどにも使用できる。香りの量は、調節弁０５及び「扇ぐ動作」によりコントロールでき、香りを強めることを「扇ぐ動作」で簡単に行うことができる利点がある。【００１３】  前記実施例では、導出路としてのチューブ０４は１つの場合を示したが、２以上設けることも可能である。また、導出路としてチューブ０４に代えて、樹脂フィルムを使用し、断面が半円状、略四角状または不定形状をなすように、うちわ本体に接着して導出路を形成することも可能である。この導出路によれば、うちわ自体の剛性を高めるものではないので、扇ぐ際の抵抗感を増加させるものではなく、うちわの使用感を損なうことがないという利点がある。さらに、前記各実施例において、導出路の先端を短くして、その出口付近を吸水性を有する紙等の資材で覆う状態に接着するようにしてもよい。誤って芳香剤を多く出し過ぎたような場合でも、芳香剤が飛び散り、衣服やまわりを汚すことがないという利点がある。また、吸水性の紙等に付着した芳香剤は面状に拡がり、発散面積が増えるるので芳香を発する上では効率がよく好都合であるという利点がある。
【符号の説明】
【００１４】０１  うちわ本体
０２  柄部
０３  芳香剤収納部
０４  チューブ（導出路）
０５  調節弁
【図１】
0005492362.tif 000002
【図２】
0005492362.tif 000003